(57)【要約】【課題】封印キャップを破砕した後の破片が周辺に飛散しないばかりか、連続して破砕する場合でも逐一破片を取り出す必要もなく、しかも、狭い場所でも容易に扱え、保管にも場所を取らない封印撤去工具を提供する。【解決手段】周囲を密閉すると共に一側面を開口させて受入口３を設けた空洞状の収容部材１と、前記受入口３の側縁から外側へ突設する平板状の剥取り片４とからなり、前記剥取り片４はその先端部に外側へ向かって漸次薄くなる差込部５が形成され、前記差込部５により破砕した封印具Ｓを前記受入口３を介して前記収容部材１内に収容し得るようにした。【選択図】　図３
2004009225.tif 000002
【特許請求の範囲】
【請求項１】
周囲を密閉すると共に一側面を開口させて受入口を設けた空洞状の収容部材と、前記受入口の縁側から外側へ突設する平板状の剥取り片とからなり、前記剥取り片はその先端部に向かって漸次薄くなる差込部が形成され、前記差込部により破砕した封印具を前記受入口を介して前記収容部材内に収容し得るようにしたことを特徴とする封印撤去工具。
【請求項２】
前記収容部材を掌に乗りかつ握れる程度の大きさに形成した請求項１記載の封印撤去工具。
【請求項３】
前記受入口に前記剥取り片が覆われる蓋部材を着脱自在に被着できるようにした請求項１又は２記載の封印撤去工具。
【発明の詳細な説明】
【０００１】
【発明の属する技術分野】
本発明は、積算電力量計などの端子部を不正に開放させないように封印した封印具を撤去するために使用する封印撤去工具に関するものである。
【０００２】
【従来の技術】
一般に、積算電力量計、ブレーカー等の端子部には封印ねじが螺締めされているが、その端子部を不正に開放させないようにするために、前記封印ねじの頭部に、破壊しないと封印ねじが取り外せないようにして合成樹脂製の封印具が冠着してある。しかも、この封印具は、破壊するとその形跡がはっきりと解り不正が明らかとなるように細かく破砕されるようになっている。ところで、前記封印具は定期的に点検・交換が行われるが、この場合は、前記封印具をペンチ等の作業工具で挟みつけその挟圧力により破砕して撤去するようにしていた。
【０００３】
ところが、このようなペンチ等の作業工具で封印具を撤去する方法では、破砕された封印具の小さい破片が周辺に飛散・散乱することになる。そこで、美観・安全の面からこれら破片を拾い集めなければならないが、尖っており危険であるばかりか、この収集作業に面倒な手間と多くの時間を掛けねばならなかった。これを解決すべく、本出願人は特開平７−３１４３３９号公報に開示されるような封印撤去工具を案出した。
【０００４】
前記封印撤去工具は、手元側を握持部とし、先端側を挟着部とする左右一対の部材を交差・枢軸したペンチ形に形成され、前記各挟着部の先端の挟着歯部の外側位置に挟付歯をその歯先が各挟着歯部の先端より突出するように取り付け、さらに、前記各挟着部に開閉動作を妨げないようにカバー部材を設けて構成されている。そして、前記挟着部先端の挟着歯間又はその外側に取り付けた挟付歯で封印具を挟み付けて破砕するようにしている。この時、封印具の破片はすべてカバー部材内に捕集されることとなり、周辺に飛散することはなく、前記収集作業が不要となるものである。
【０００５】
【発明が解決しようとする課題】
しかしながら、この封印撤去工具では、例えば積算電力量計が複数個あり、これら封印具を連続して破砕する場合、各封印具を破砕した時、その後、その破片がカバー部材内から零れ落ちる危険性があることから、その都度カバー部材内に貯まる破片を一旦取り除かねばならず面倒であり、しかも、全体に比較的大型化して狭い場所での取扱いがし難く、更には、保管にも場所をとるなど管理が容易でないという改良すべき点が残されている。
そこで本発明は、上記課題を解決すべくなされたもので、封印具を破砕した後の破片が周辺に飛散しないばかりか、連続して破砕する場合でも逐一破片を取り出す必要もなく、しかも、狭い場所でも容易に扱え、保管にも場所を取らない封印撤去工具を提供することを目的とするものである。
【０００６】
【課題を解決するための手段】
かかる目的を達成するため本発明に係る封印撤去工具は、周囲を密閉すると共に一側面を開口させて受入口を設けた空洞状の収容部材と、前記受入口の縁側から外側へ突設する平板状の剥取り片とからなり、前記剥取り片はその先端部に外側へ向かって漸次薄くなる差込部が形成され、前記差込部により破砕した封印具を前記受入口を介して前記収容部材内に収容し得るようにした構成からなる。
【０００７】
そして、封印ねじに冠着された封印具の下側に剥取り片の差込部を差し込み、その状態で引き起こすことにより封印具が破砕される。破砕された破片は、そのまま下方に落下し、受入口を介して収容部材内に収容されることとなるので、周囲に破片が飛散するようなことはない。また、連続して破砕する場合でも収容部材内から逐一破片を取り出す必要もない。
【０００８】
収容部材を掌に乗りかつ握れる程度の大きさとすれば、封印撤去工具が片手で簡単に持てるばかりか、狭い場所でも容易に扱うことができる。
【０００９】
受入口に剥取り片が覆われる蓋部材を着脱自在に被着できるようにすれば、蓋部材を被着することにより安全に保持でき、またそのまま収容部材内に溜められた破片を廃棄するまで密封しておくことができる。例えば、作業着のポケットに封印撤去工具を収納しておいても零すようなことがなく至便である。
【００１０】
【発明の実施の形態】
以下、本発明に係る封印撤去工具の実施の形態を図面に基づき説明する。図１は蓋部材を閉めた状態を示す封印撤去工具の斜視図、図２は蓋部材を開けた状態を示す封印撤去工具の斜視図である。図において、Ａは封印撤去工具であり、非導電性素材により形成される空洞状の収容部材１からなる。この収容部材１は、掌に乗りかつ握れる程度の大きさに形成されており、所定幅の側壁２ａと図１、図２における前後側壁２ｂ，２ｃとにより周囲が密閉されると共に一側面を開口させて平坦な受入口３が開設されている。前記前後側壁２ｂ，２ｃは、上下辺が平行をなすとともに他側辺が円弧状に形成され、また受入口３側の辺が前記上下辺と直交するようになっている。
【００１１】
前記収容部材１内には、その内周面に合致する側面Ｕ字状の剥取り片４が装着される。この剥取り片４は、平板状の帯鋼板からなり、その一端側が前記受入口３の一側縁から受入口３面に対し略直角をなすようにして外側へ突出し、その先端部に外側へ向かって漸次薄くなる差込部５が形成されている。また、剥取り片４の他端側は受入口３の他側縁から僅かに突設されている。更に、受入口３の対向する両端縁に、帯綱板の外側に位置させて後記する蓋部材１０を被着させるときにガイドとなる案内板部６が突設されている。収容部材１の外周面であって円弧状の側壁２ａには、通孔７を開設した取付片８が一体に設けられ、通孔７に下げ紐９を挿通して封印撤去工具Ａが吊り下げられるようになっている。
【００１２】
１０は、前記収容部材１に被着される蓋部材であり、収容部材１と同様に非導電性の素材からなり空洞状に形成されている。そして、前記収容部材１と略同じ形状かつ同じ大きさを有する。すなわち、所定幅の側壁１１ａと図１、図２における前後側壁１１ｂ，１１ｃとにより周囲が密閉されると共に一側面が開口１２されている。前記前後側壁１１ｂ，１１ｃは上下辺が平行をなすと共に他側辺が円弧状に形成され、開口１２側の辺が前記上下辺と直交するようになっている。また、蓋部材１０の内周面には、前期各案内板部６に対応位置させてそれら先端部が当接し得る段部１３が設けられている。そして、剥取り片４を覆いながら両案内板部６の外側面に内側面を沿わせ押込むことにより封印撤去工具Ａに蓋部材１０を着脱自在に被せることができる。
【００１３】
本発明に係る封印撤去工具Ａは上記構成からなり、次に使用方法について説明する。図３は積算電力量計Ｍに装着された封印具Ｓを撤去する場合を示している。この封印具Ｓは図４に示すように積算電力量計Ｍのケーシング本体ｍ１に設けられた端子ボックスｍ２とその蓋体ｍ３とを螺締め固定させる封印ねじｍ４の頭部ｍ５に冠着される。
【００１４】
封印具Ｓは、合成樹脂材により薄く形成され、封印具本体ｓ１と該封印具本体ｓ１に串通される金属製の封印ピンｓ２とからなる。封印具本体ｓ１は、上面と周側面が囲われると共に下面が開口ｓ３しており、積算電力計Ｍ側の封印ねじｍ４の頭部ｍ５に冠着される嵌着部ｓ４と封印ピンｓ２を支持する支持部ｓ５とが一体に成形されている。
【００１５】
前記嵌着部ｓ４は外周壁ｓ６と内周壁ｓ７とが同心円状に二重に配設され、内周壁ｓ７内に積算電力計Ｍ側の封印ねじｍ４の頭部ｍ５が嵌入する凹室ｓ８が成形されている。また、この凹室ｓ８の内周面には前記支持部ｓ５側とは反対側に前記封印ピンｓ２の一端が挿入されることとなる止孔ｓ９が穿設されている。一方、前記支持部ｓ５には、その中央に前記止孔ｓ９と同一軸線上に位置して封印ピンｓ２が挿通される通孔ｓ１０が設けられている。この通孔ｓ１０は、前記封印ピンｓ２が抜け落ちない程度に比較的しっかりと嵌入されるようにその内径が選ばれる。また、前記封印ピンｓ２は一端が奥端の止孔ｓ９まで挿入されたとき、他端は支持部ｓ５内に全部入り込んでしまう長さに設定してある。
【００１６】
前記封印具本体ｓ１は上記構成よりなる。そして、封印前は、封印ピンｓ２の内端が凹室ｓ８の中にまで達しておらず、かつ外端は支持部ｓ５より外側に突出した状態で、封印ピンｓ２が通孔ｓ１０に挿通されている。封印するときは、嵌着部ｓ４の凹室ｓ８を積算電力計Ｍ側の封印ねじｍ４の頭部ｍ５に被せ、該頭部ｍ５に横断状に貫設された連通孔ｍ６と前記止孔ｓ９及び通孔ｓ１０を一直線状に配置する。次に、この状態で前記封印ピンｓ２をその一端が止孔ｓ９に達し停止するまで打ち込む。これにより、図４に示すように封印ピンｓ２が封印ねじｍ４の頭部ｍ５に串通され、しかも封印ピンｓ２を外から抜くことができなくなる。しかも、封印ねじｍ４の位置は、ケーシング体ｍ１側に近づけて設けられているので、封印具本体ｓ１を蓋体ｍ３上面で回転させて封印ねじｍ４を抜き取ろうとしても、封印具本体ｓ１がケーシング本体ｍ１の外側面に当たり回転し得ないようになっている。このようにして封印具Ｓが封印ねじｍ４の頭部ｍ５に固定される。
【００１７】
そこで、図３、図４に示すように作業者は、蓋部材１０を取り外して収容部材１を片手で持ち、受入口３が上を向くようにして封印具Ｓと蓋体ｍ３との間の隙間Ｌに下から剥取り片４の差込部５を挿入し、左右又は前後にこじるようにする。これにより、封印具Ｓが破砕され下方に落ちることとなり、落下した破片Ｈは受入口３を介して収容部材１内に収容される。よって、破片Ｈを周辺に飛散・散乱させるようなことがない。また、積算電力計Ｍが複数個ある場合であっても、収容部材１の空洞部Ｅは比較的大きく、前記収容部材１内から逐一破片を取り出すことなく連続して破砕を行なうことができ至便である。その後、収容部材１内に溜まった破片Ｈは廃棄処分する。この際、収容部材１内の対向する側壁２ａ，２ａ又は前後側壁２ｂ，２ｃはいずれも平行であるから、排出し易い。
【００１８】
また、収容部材１が掌に乗りかつ握れる程度の大きさであるから、積算電力量計Ｍが建物の壁に挟まれたような狭い空間に設置されていても、封印具Ｓの撤去作業が片手で簡単にでき簡便であって作業効率も向上する。
【００１９】
収容部材１内に封印具Ｓの破片Ｈを収容したまま他の場所へ移動するような場合は、収容部材１の受入口３に蓋部材１０を被着しておく。これにより、内部が密閉され破片Ｈが零れないばかりか、剥取り片４の差込部５も覆われ安全に保持でき、例えば作業着のポケットに封印撤去工具Ａを収納しておくこともできる。
【００２０】
なお、図示は省略するが、本発明にかかる封印撤去工具Ａはブレーカーの封印キャップの封印撤去についても使用できるものである。
【００２１】
【発明の効果】
以上説明したように本発明に係る封印撤去工具は、一側面に受入口を設けた空洞状の収容部材と、前記受入口の側縁から突設し先端部に差込部が形成される剥取り片とからなり、前記差込部により破砕した封印キャップを前記受入口を介して前記収容部材内に収容し得るようにしたので、周囲に破片が飛散するようなことがなく、また、連続して破砕する場合でも収容部材内から逐一破片を取り出す必要がないという効果がある。
【００２２】
また、収容部材を掌に乗りかつ握れる程度の大きさとすれば、封印撤去工具が片手で簡単に持てるばかりか、狭い場所でも容易に扱う事ができ、このような場所での作業能率が向上する。
【００２３】
更に、受入口に剥取り片が覆われる蓋部材を着脱自在に被着するようにすれば、蓋部材を被着することにより安全に保持でき、またそのまま収容部材内に溜められた破片を廃棄するまで密封でき、例えば作業着のポケットに封印撤去工具を収納しておいても零すようなことがなく至便である。
【図面の簡単な説明】
【図１】蓋部材を閉めた状態を示す封印撤去工具の斜視図。
【図２】蓋部材を開けた状態を示す封印撤去工具の斜視図。
【図３】封印撤去工具の使用状態図。
【図４】同断面図。
【符号の説明】
１　　　　　　　　収容部材
３　　　　　　　　受入口
４　　　　　　　　剥取り片
５　　　　　　　　差込部
１０　　　　　　　蓋部材
Ａ　　　　　　　　封印撤去工具
【図１】
2004009225.tif 000003
【図２】
2004009225.tif 000004
【図３】
2004009225.tif 000005
【図４】
2004009225.tif 000006